(57)【特許請求の範囲】
【請求項１】
物体側から像側へ順に、ズーミングのためには不動の正の屈折力の第１レンズ群と、ズーミングに際して移動する負の屈折力の第２レンズ群と、ズーミングに際して移動する正の屈折力の第３レンズ群と、ズーミングのためには不動の正の屈折力の第４レンズ群からなるズームレンズであって、
前記第１レンズ群は物体側から像側へ順に、物体側に凸面を向けたメニスカス形状の負レンズＧ１、正レンズＧ２、正レンズＧ３、正レンズＧ４、物体側に凸面を向けたメニスカス形状の正レンズＧ５より構成され、前記負レンズＧ１の物体側と像側のレンズ面の曲率半径を各々Ｇ１Ｒ１、Ｇ１Ｒ２、前記負レンズＧ１の焦点距離をｆＧ１、前記正レンズＧ５の物体側と像側のレンズ面の曲率半径を各々Ｇ５Ｒ１、Ｇ５Ｒ２、前記正レンズＧ５の焦点距離をｆＧ５、前記第１レンズ群の焦点距離をｆ１、前記正レンズＧ５の材料のｄ線における屈折率をｎｄ５とするとき、
−２．２＜ｆＧ１／ｆ１＜−１．５
１．０＜（Ｇ１Ｒ１＋Ｇ１Ｒ２）／（Ｇ１Ｒ１−Ｇ１Ｒ２）＜２．０
２．４＜ｆＧ５／ｆ１＜３．７
−４．０＜（Ｇ５Ｒ１＋Ｇ５Ｒ２）／（Ｇ５Ｒ１−Ｇ５Ｒ２）＜−３．０
１．４８＜ｎｄ５＜１．６５
なる条件式を満足することを特徴とするズームレンズ。
【請求項２】
前記負レンズＧ１の材料のｄ線における屈折率をｎｄ１、アッベ数をνｄ１、部分分散比をθ１、前記正レンズＧ５の材料のアッベ数をνｄ５、部分分散比をθ５とするとき、
１．７５＜ｎｄ１＜２．１
２５＜νｄ１＜４３
０．５６２＜θ１＜０．６４０
６２＜νｄ５＜９１
０．５３０＜θ５＜０．５５０
なる条件式を満足することを特徴とする請求項１に記載のズームレンズ。
【請求項３】
望遠端における全系の焦点距離をｆｔ、広角端における全系の焦点距離をｆｗ、前記第１レンズ群の後ろ側主点位置をＯｋｆ、広角端における前記第１レンズ群と前記第２レンズ群の主点間隔をＬ１ｗとするとき、
３．０＜ｆｔ／ｆ１＜４．２
−７．５０×１０−２＜Ｏｋｆ／ｆ１＜−６．７０×１０−２
２．６＜Ｌ１ｗ／ｆｗ＜３．０
なる条件式を満足することを特徴とする請求項１又は２に記載のズームレンズ。
【請求項４】
前記第１レンズ群は、最も広い空気間隔を境に負の屈折力の第Ｆ１ａレンズ群と正の屈折力の第Ｆ１ｂレンズ群より構成され、前記第１レンズ群の光軸方向の厚さをＤｆ、前記第Ｆ１ａレンズ群の焦点距離をｆａ、前記第Ｆ１ｂレンズ群の焦点距離をｆｂ、前記第Ｆ１ａレンズ群と前記第Ｆ１ｂレンズ群の主点間隔をＨＨとするとき、
０．２＜ＨＨ／ｆ１＜０．５
０．８＜Ｄｆ／ＨＨ＜２．１
−１２．５＜ｆａ／ｆ１＜−６．５
０．８０＜ｆｂ／ｆ１＜１．２０
−１５＜ｆａ／ｆｂ＜−５
なる条件式を満足することを特徴とする請求項１乃至３のいずれか１項に記載のズームレンズ。
【請求項５】
物体側から像側へ順に、前記第Ｆ１ａレンズ群は物体側へ凸面を向けたメニスカス形状の負レンズＧ１、正レンズＧ２より構成され、前記第Ｆ１ｂレンズ群は両レンズ面が凸面の正レンズＧ３、物体側に凸面を向けた正レンズＧ４、物体側に凸面を向けたメニスカス形状の正レンズＧ５より構成されることを特徴とする請求項４に記載のズームレンズ。
【請求項６】
請求項１乃至５のいずれか１項に記載のズームレンズと、前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、高ズーム比でしかも高い光学性能を有したズームレンズが要望されている。高ズーム比のズームレンズとして、最も物体側に正の屈折力のレンズ群を配置し、全体として４つのレンズ群より成るポジティブリード型で、テレフォト型の４群ズームレンズが知られている。例えば合焦用の正の屈折力の第１レンズ群、変倍用の負の屈折力の第２レンズ群、像面変動補正用の正の屈折力の第３レンズ群、結像用の正の屈折力の第４レンズ群より成る４群ズームレンズが知られている。この４群ズームレンズにおいて、広画角、高ズーム比化を図った４群ズームレンズが知られている（特許文献１乃至３）。
【０００３】
特許文献１では、広角端の撮影画角が６０．９３°でズーム倍率が９６倍程度であるズームレンズが開示されている。特許文献２では、広角端の撮影画角が６９．０２°でズーム倍率が１０６倍程度であるズームレンズが開示されている。特許文献３では、広角端の撮影画角が６２．８６°でズーム倍率が１２０倍程度であるズームレンズが開示されている。
【先行技術文献】
【特許文献】
【０００４】
【特許文献１】特開２００４−２６４４５７号公報
【特許文献２】特開２００８−１９７５３３号公報
【特許文献３】特開２０１０−９１７８８号公報
【発明の概要】
【発明が解決しようとする課題】
【０００５】
テレビカメラや写真用カメラ、そしてビデオカメラ等の撮像装置は、高い光学性能を有するとともに、全系が小型軽量であることが強く要求される。高ズーム比のズームレンズにおいても、さらなる広画角化が要望されている。高ズーム比のズームレンズにおいて、物体側のレンズ群の大きさや重さはカメラレンズの操作に大きく影響する。このため、物体側のレンズ群の小型軽量化が特に重要になってきている。
【０００６】
一般に高ズーム比化を達成しようとすると、変倍用のレンズ群の可動領域を長く確保する必要があり、最も物体側に配置される第１レンズ群のレンズ有効径が大きくなる傾向がある。また、広画角化を達成しようとすると、レンズ系に取り込む光線入射角を広く確保する必要があり、やはり第１レンズ群のレンズ有効径が大きくなる傾向がある。広画角化と高ズーム比化を両立しながら第１レンズ群のレンズ有効径の増大を抑制するためには、構成レンズ枚数を少なくし、且つ第１レンズ群の後側主点位置をより像面側に押し出すこと（像面側へ移動すること）が有効である。
【０００７】
特に前述した４群ズームレンズにおいて全系の小型化を図りつつ、広画角化及び高ズーム比化を図るには、ズーミングに際して不動の第１レンズ群のレンズ構成を適切に設定することが重要な要素になっている。第１レンズ群のレンズ構成が不適切であると、全系の小型化を図りつつ、広画角で高ズーム比のズームレンズを得るのが難しくなる。
【０００８】
本発明は、高ズーム比化及び広画角化が容易で、全系の小型化が容易なズームレンズおよびそれを有する撮像装置の提供を目的とする。
【課題を解決するための手段】
【０００９】
本発明のズームレンズは、物体側から像側へ順に、ズーミングのためには不動の正の屈折力の第１レンズ群と、ズーミングに際して移動する負の屈折力の第２レンズ群と、ズーミングに際して移動する正の屈折力の第３レンズ群と、ズーミングのためには不動の正の屈折力の第４レンズ群からなるズームレンズであって、
前記第１レンズ群は物体側から像側へ順に、物体側に凸面を向けたメニスカス形状の負レンズＧ１、正レンズＧ２、正レンズＧ３、正レンズＧ４、物体側に凸面を向けたメニスカス形状の正レンズＧ５より構成され、前記負レンズＧ１の物体側と像側のレンズ面の曲率半径を各々Ｇ１Ｒ１、Ｇ１Ｒ２、前記負レンズＧ１の焦点距離をｆＧ１、前記正レンズＧ５の物体側と像側のレンズ面の曲率半径を各々Ｇ５Ｒ１、Ｇ５Ｒ２、前記正レンズＧ５の焦点距離をｆＧ５、前記第１レンズ群の焦点距離をｆ１、前記正レンズＧ５の材料のｄ線における屈折率をｎｄ５とするとき、
−２．２＜ｆＧ１／ｆ１＜−１．５
１．０＜（Ｇ１Ｒ１＋Ｇ１Ｒ２）／（Ｇ１Ｒ１−Ｇ１Ｒ２）＜２．０
２．４＜ｆＧ５／ｆ１＜３．７
−４．０＜（Ｇ５Ｒ１＋Ｇ５Ｒ２）／（Ｇ５Ｒ１−Ｇ５Ｒ２）＜−３．０
１．４８＜ｎｄ５＜１．６５
なる条件式を満足することを特徴としている。
【発明の効果】
【００１０】
本発明によれば、高ズーム比化及び広画角化が容易で、全系の小型軽量化が容易なズームレンズが得られる。
【図面の簡単な説明】
【００１１】
【図１】数値実施例１の広角端におけるレンズ断面図
【図２】（Ａ）（Ｂ）（Ｃ）  数値実施例１の広角端、中間のズーム位置、望遠端での無限遠合焦時の収差図
【図３】数値実施例２の広角端におけるレンズ断面図
【図４】（Ａ）（Ｂ）（Ｃ）  数値実施例２の広角端、中間のズーム位置、望遠端での無限遠合焦時の収差図
【図５】数値実施例３の広角端におけるレンズ断面図
【図６】（Ａ）（Ｂ）（Ｃ）  数値実施例３の広角端、中間のズーム位置、望遠端での無限遠合焦時の収差図
【図７】本発明の撮像装置の概略図
【発明を実施するための形態】
【００１２】
以下に、本発明の好ましい実施の形態を、添付の図面に基づいて詳細に説明する。まず、本発明のズームレンズの特徴について説明する。本発明のズームレンズは、物体側から像側へ順に、ズーミングに際して不動の正の屈折力の第１レンズ群と、ズーミングに際して移動する変倍用の負の屈折力の第２レンズ群を有する。更に第２レンズ群の移動に連動して光軸上を移動し、変倍に伴う像面変動を補正する正の屈折力の第３レンズ群と、ズーミングのためには不動の正の屈折力の第４レンズ群を有する。
【００１３】
第１レンズ群は最も広い空気間隔を境に負の屈折力の第Ｆ１ａレンズ群と正の屈折力の第Ｆ１ｂレンズ群より構成されている。このうち第Ｆ１ａレンズ群は、物体側より像側へ順に物体側に凸面を向けたメニスカス形状の負レンズＧ１と、正レンズＧ２より構成されている。第Ｆ１ｂレンズ群は物体側から像側へ順に、正レンズＧ３と、正レンズＧ４と、物体側に凸面を向けたメニスカス形状の正レンズＧ５より構成されている。
【００１４】
図１は本発明の実施例１（数値実施例１）のズームレンズの広角端（短焦点距離端，焦点距離：ｆ＝８．６ｍｍ）で無限遠物体の合焦状態におけるレンズ断面図である。図２（Ａ），（Ｂ），（Ｃ）は数値実施例１の広角端、中間のズーム位置（焦点距離：ｆ＝３４１．６３ｍｍ）、望遠端（長焦点距離，焦点距離：ｆ＝７７４．０ｍｍ）における無限遠物体に合焦時の収差図である。但し、焦点距離は数値実施例の値をｍｍ単位で表したときの値である。これは以下の各実施例において全て同じである。
【００１５】
図３は本発明の実施例２（数値実施例２）のズームレンズの広角端（ｆ＝８．９ｍｍ）で、無限遠物体の合焦状態におけるレンズ断面図である。図４（Ａ）（Ｂ）（Ｃ）は数値実施例２の広角端、中間のズーム位置（焦点距離：ｆ＝３４３．２９ｍｍ）、望遠端（焦点距離：ｆ＝１０６８．０ｍｍ）における無限遠物体に合焦時の収差図である。
【００１６】
図５は本発明の実施例３（数値実施例３）のズームレンズの広角端（ｆ＝８．９ｍｍ）、無限遠物体の合焦状態におけるレンズ断面図である。図６（Ａ）（Ｂ）（Ｃ）は数値実施例３の広角端、中間のズーム位置（焦点距離：ｆ＝３４３．２９ｍｍ、望遠端（焦点距離：ｆ＝８０１．０ｍｍ）における無限遠物体に合焦時の収差図である。図７は本発明の撮像装置の要部概略図である。
【００１７】
各実施例のレンズ断面図において、左側が物体側で右側が像側である。レンズ断面図において、Ｆは変倍のためには不動の第１レンズ群としての正の屈折力を有する前玉レンズ群である。Ｆ１ａは、第１レンズ群Ｆの一部を構成する合焦時に固定の負の屈折力の第Ｆ１ａレンズ群Ｆ１ａである。Ｆ１ｂは第１レンズ群Ｆの一部を構成するフォーカスの際（合焦時）に移動する正の屈折力の第Ｆ１ｂレンズ群Ｆ１ｂである。
【００１８】
第Ｆ１ｂレンズ群Ｆ１ｂは無限遠物体から近距離物体へのフォーカスに際して物体側へ移動する。Ｖは変倍用の第２レンズ群としての負の屈折力を有するバリエータであり、光軸上を像面側へ単調に移動させることにより、広角端から望遠端への変倍を行っている。Ｃは第３レンズ群としての正の屈折力を有するコンペンセータであり、広角端から望遠端への変倍に際して変倍に伴う像面変動を補正するために光軸上を物体側へ非直線的に移動している。バリエータＶとコンペンセータＣとで変倍系を構成している。
【００１９】
ＳＰは絞り（開口絞り）であり、第４レンズ群Ｒの物体側に配置されている。Ｒは第４レンズ群としての結像作用を有する正の屈折力を有する固定のリレーレンズ群である。Ｐは色分解プリズムや光学フィルタ−等であり、同図ではガラスブロックとして示している。Ｉは撮像面であり、ズームレンズで形成された像を受光し、光電変換する固体撮像素子（光電変換素子）の撮像面に相当している。
【００２０】
収差図において、球面収差における実線と二点鎖線は各々ｅ線，ｇ線である。非点収差における点線と実線は各々メリディオナル像面，サジタル像面である。倍率色収差はｇ線によって表している。ωは半画角、ＦｎｏはＦナンバーである。球面収差は０．４ｍｍ、非点収差は０．４ｍｍ、歪曲は５％、倍率色収差は０．１ｍｍのスケールで描かれている。尚、以下の各実施例において広角端と望遠端は変倍用レンズ群（第２レンズ群Ｖ）が機構上、光軸上を移動可能な範の両端に位置したときのズーム位置をいう。
【００２１】
各実施例において第１レンズ群Ｆを構成する負レンズＧ１の物体側と像側のレンズ面の曲率半径を各々Ｇ１Ｒ１、Ｇ１Ｒ２とする。負レンズＧ１の焦点距離をｆＧ１とする。正レンズＧ５の物体側と像側のレンズ面の曲率半径を各々Ｇ５Ｒ１、Ｇ５Ｒ２とする。正レンズＧ５の焦点距離をｆＧ５とする。第１レンズ群の焦点距離をｆ１とする。
【００２２】
このとき、
−２．２＜ｆＧ１／ｆ１＜−１．５                                  ・・・（１）
１．０＜（Ｇ１Ｒ１＋Ｇ１Ｒ２）／（Ｇ１Ｒ１−Ｇ１Ｒ２）＜２．０    ・・・（２）
２．４＜ｆＧ５／ｆ１＜３．７                                      ・・・（３）
−４．０＜（Ｇ５Ｒ１＋Ｇ５Ｒ２）／（Ｇ５Ｒ１−Ｇ５Ｒ２）＜−３．０・・・（４）
なる条件式を満足している。
【００２３】
条件式（１）は、各実施例のズームレンズを構成する第１レンズ群Ｆと第１レンズ群Ｆを構成する負レンズＧ１の焦点距離の比を規定している。条件式（１）の下限値を超えて負レンズＧ１の焦点距離が長くなると第１レンズ群Ｆの後ろ側主点を像側に十分押し出すことができず、第１レンズ群Ｆの小径化が困難になる。反対に条件式（１）の上限値を超えて負レンズＧ１の焦点距離が短くなると第１レンズ群Ｆの小径化は容易になるが、望遠端において球面収差の補正が難しくなり、更に広角端において軸外収差の補正が困難となる。
【００２４】
条件式（２）は、第１レンズ群Ｆを構成する負レンズＧ１が負のメニスカス形状であり、そのレンズ形状を規定している。条件式（２）の下限値を超え両凹形状になると、第１レンズ群Ｆの後ろ側主点を像側に押し出すことによる第１レンズ群Ｆの小径化が難しくなる。これは、広角端において軸外光線が負レンズＧ１のレンズ面頂点位置より物体側で物体側のレンズ面に入射することによる第１レンズ群Ｆの大径化により相殺されてしまうためである。
【００２５】
また、相対的に像側のレンズ面のパワーが弱くなる。そうすると、特に広角端からｆｗｍ＝ｆｗ×Ｚ１／４（ｆｗ：広角端焦点距離、Ｚ：ズーム比）で定義する焦点距離のズーム位置（以下、焦点距離ｆｗｍと記載）にズーミングした時の歪曲やコマ収差など軸外収差の変動を抑制するのが難しくなる。また望遠端において球面収差の補正が困難になる。条件式（２）の上限値を超えると第１レンズ群Ｆの後ろ側主点を像側に十分押し出すことが難しくなり、第１レンズ群Ｆの小径化が困難になる。
【００２６】
条件式（３）は、各実施例のズームレンズを構成する第１レンズ群Ｆと第１レンズ群Ｆを構成する最も像側の正レンズＧ５の焦点距離の比を規定している。上限値を超えると第１レンズ群Ｆの後ろ側主点を像側に十分押し出すことが難しくなり、第１レンズ群Ｆの小径化が困難になる。条件式（３）の下限値を超えると第１レンズ群Ｆの小径化は容易になるが広角端から焦点距離ｆｗｍのズーム位置にズーミングした時の歪曲やコマ収差など軸外収差の変動を抑制するのが難しくなる。また望遠端において球面収差の補正が困難になる。
【００２７】
条件式（４）は、第１レンズ群Ｆを構成する最も像側の正レンズＧ５がメニスカス形状であり、そのレンズ形状を規定している。条件式（４）の下限値を超えると広角端から焦点距離ｆｗｍのズーム位置にズーミングした時の歪曲やコマ収差など軸外収差の変動を抑制するのが難しくなる。また望遠端において球面収差の補正が困難となる。条件式（４）の上限値を超えると第１レンズ群Ｆの後ろ側主点を像側に十分押し出すことが難しくなり、第１レンズ群Ｆの小径化が困難になる。
【００２８】
各実施例では条件式（１）乃至（４）を同時に満たすことで広画角化と高ズーム比化を両立しながら全系の小型軽量化を達成している。更に好ましくは、条件式（１）乃至（４）の数値範囲を次の如く設定するのが良い。
−２．１＜ｆＧ１／ｆ１＜−１．７                                  ・・・（１ａ）
１．１＜（Ｇ１Ｒ１＋Ｇ１Ｒ２）／（Ｇ１Ｒ１−Ｇ１Ｒ２）＜１．７    ・・・（２ａ）
２．６＜ｆＧ５／ｆ１＜３．６                                      ・・・（３ａ）
−３．９＜（Ｇ５Ｒ１＋Ｇ５Ｒ２）／（Ｇ５Ｒ１−Ｇ５Ｒ２）＜−３．１・・・（４ａ）
各実施例において更に好ましくは次の諸条件のうち、１以上を満足するのが良い。
【００２９】
負レンズＧ１の材料のｄ線における屈折率をｎｄ１、アッベ数をνｄ１、部分分散比をθ１とする。正レンズＧ５の材料のｄ線における屈折率をｎｄ５、アッベ数をνｄ５、部分分散比をθ５とする。望遠端における全系の焦点距離をｆｔ、広角端における全系の焦点距離をｆｗとする。第１レンズ群Ｆの後ろ側主点位置（第１レンズ群Ｆの最も像側のレンズ面からの距離）をＯｋｆとする。広角端における第１レンズ群Ｆと第２レンズ群Ｖの主点間隔をＬ１ｗとする。
【００３０】
第１レンズ群Ｆは、最も広い空気間隔を境に負の屈折力の第Ｆ１ａレンズ群Ｆ１ａと正の屈折力の第Ｆ１ｂレンズ群Ｆ１ｂより構成される。そして第１レンズ群Ｆの光軸方向の厚さをＤｆ、第Ｆ１ａレンズ群Ｆ１ａの焦点距離をｆａ、第Ｆ１ｂレンズ群Ｆ１ｂの焦点距離をｆｂとする。第Ｆ１ａレンズ群Ｆ１ａと第Ｆ１ｂレンズ群Ｆ１ｂの主点間隔をＨＨとする。
【００３１】
このとき、
１．７５＜ｎｄ１＜２．１                                ・・・（５）
２５＜νｄ１＜４３                                      ・・・（６）
０．５６２＜θ１＜０．６４０                            ・・・（７）
１．４８＜ｎｄ５＜１．６５                              ・・・（８）
６２＜νｄ５＜９１                                      ・・・（９）
０．５３０＜θ５＜０．５５０                            ・・・（１０）
３．０＜ｆｔ／ｆ１＜４．２                              ・・・（１１）
−７．５０×１０−２＜Ｏｋｆ／ｆ１＜−６．７０×１０−２  ・・・（１２）
２．６＜Ｌ１ｗ／ｆｗ＜３．０                            ・・・（１３）
０．２＜ＨＨ／ｆ１＜０．５                              ・・・（１４）
０．８＜Ｄｆ／ＨＨ＜２．１                              ・・・（１５）
−１２．５＜ｆａ／ｆ１＜−６．５                        ・・・（１６）
０．８０＜ｆｂ／ｆ１＜１．２０                          ・・・（１７）
−１５＜ｆａ／ｆｂ＜−５                                ・・・（１８）
なる条件式のうち１以上を満足するのが良い。
【００３２】
ここでのアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）
θ＝（Ｎｇ−ＮＦ）／（ＮＦ−ＮＣ）
である。次に前述の各条件式の技術的意味について説明する。
【００３３】
条件式（５）は、負レンズＧ１の材料のｄ線の屈折率を規定している。条件式（５）の下限値を超えると負レンズＧ１の像側のレンズ面の曲率半径Ｇ１Ｒ２が小さくなり、望遠端において球面収差の補正が困難になる。条件式（５）の上限値を超えると条件式（６）、（７）を満足するのが難しくなる。条件式（６）は、負レンズＧ１の材料のアッベ数を規定している。条件式（６）の下限値を超えると望遠端において軸上色収差が補正過剰となる。また条件式（６）の上限値を超えると望遠端において軸上色収差が補正不足となるため広角端において倍率色収差の補正との両立が困難となる。
【００３４】
条件式（７）は、負レンズＧ１の材料の部分分散比を規定している。条件式（７）の下限値を超えると望遠端において軸上色収差の二次スペクトルが補正過剰となり、また上限値を超えると補正不足となるため良くない。条件式（８）は、正レンズＧ５の材料の屈折率を規定している。条件式（８）の下限値を超えると正レンズＧ５のレンズ厚さが厚くなるため、第１レンズ群Ｆの厚さが厚くなり第１レンズ群Ｆの小径化が困難になる。条件式（８）の上限値を超えると条件式（９）、（１０）を満足するのが難しくなる。
【００３５】
条件式（９）は、正レンズＧ５の材料のアッベ数を規定している。条件式（９）の下限値を超えると望遠端において軸上色収差が補正不足となる。また、上限値を超えると望遠端において軸上色収差が補正過剰となるため広角端において倍率色収差の補正との両立が困難となる。条件式（１０）は、正レンズＧ５の材料の部分分散比を規定している。条件式（１０）の下限値を超えると望遠端において軸上色収差の二次スペクトルが補正不足となり、また上限値を超えると補正過剰となるため良くない。
【００３６】
条件式（５）乃至（１０）式を同時に満たすと、望遠端において球面収差および軸上色収差、広角端において倍率色収差を適切に補正し、広画角化と高ズーム比化そして全系の小型軽量化が容易になる。更に好ましくは、条件式（５）〜（１０）の数値範囲を次の如く設定するのが良い。
【００３７】
１．７９＜ｎｄ１＜１．９１        ・・・（５ａ）
３１．０＜νｄ１＜３８．０        ・・・（６ａ）
０．５７５＜θ１＜０．６００      ・・・（７ａ）
１．４８＜ｎｄ５＜１．６０        ・・・（８ａ）
６７＜νｄ５＜８２                ・・・（９ａ）
０．５３５＜θ５＜０．５５０    ・・・（１０ａ）
条件式（１１）は、全系の望遠端の焦点距離と第１レンズ群Ｆの焦点距離の比を規定している。条件式（１）〜（１０）は、条件式（１１）を満たす高ズーム比のズームレンズに適用することで高い効果を得ることが容易となる。
【００３８】
条件式（１２）は、第１レンズ群Ｆの後ろ側主点位置と第１レンズ群Ｆの焦点距離の比を規定している。第１レンズ群Ｆの後ろ側主点位置が十分像側におしだせず下限値を超えると全系の小型化が難しくなる。また、上限値を超えると第１レンズ群Ｆの小径化は容易となるが、広角端から焦点距離ｆｗｍのズーム位置にズーミングした時の歪曲やコマ収差など軸外収差の変動の抑制と望遠端において球面収差の補正との両立が困難となる。
【００３９】
条件式（１３）は、広角端における第１レンズ群Ｆと第２レンズ群Ｖの主点間隔と広角端における焦点距離との比を規定している。下限値を超えて第１レンズ群Ｆと第２レンズ群Ｖの主点間隔Ｌ１ｗを小さくすると全系の小型化には有利となる。しかしながら、広角端から焦点距離ｆｗｍのズーム位置にズーミングした時の歪曲やコマ収差など軸外収差の変動の抑制と望遠端において球面収差の補正との両立が困難となる。上限値を超えると全系の小型化が難しくなる。
【００４０】
条件式（１１）乃至（１３）式を同時に満たすと広角端から焦点距離ｆｗｍのズーム位置にズーミングした時の歪曲やコマ収差など軸外収差の変動の抑制が容易になる。また望遠端において球面収差の良好な補正と全系の小型軽量化が容易になる。更に好ましくは、条件式（１１）乃至（１３）の数値範囲を次の如く設定するのが良い。
【００４１】
３．１０＜ｆｔ／ｆ１＜４．１５                          ・・・（１１ａ）
−７．３０×１０−２＜Ｏｋｆ／ｆ１＜−６．８５×１０−２  ・・・（１２ａ）
２．７０＜Ｌ１ｗ／ｆｗ＜２．８５                        ・・・（１３ａ）
条件式（１４）は、第Ｆ１ａレンズ群Ｆ１ａと第Ｆ１ｂレンズ群Ｆ１ｂとの主点間隔と第１レンズ群Ｆの焦点距離ｆ１の比を規定している。
【００４２】
条件式（１４）の下限値を超えると全系の小型化には有利となる。しかしながら、第Ｆ１ａレンズ群Ｆ１ａと第Ｆ１ｂレンズ群Ｆ１ｂの主点間隔が短くなり、広角端から焦点距離ｆｗｍのズーム位置にズーミングした時の歪曲やコマ収差など軸外収差の変動の抑制と望遠端において球面収差の補正との両立が困難となる。また上限値を超えると全系の小型化が困難になる。
【００４３】
条件式（１５）は第１レンズ群Ｆ１の光軸方向の厚さに対する第Ｆ１ａレンズ群Ｆ１ａと第Ｆ１ｂレンズ群Ｆ１ｂの主点間隔の比を規定している。第１レンズ群Ｆが負，正，正，正，正レンズの５枚のレンズで構成されている場合、下限値を超えることは第Ｆ１ａレンズ群Ｆ１ａのパワーが弱いことが一般的である。従って、第１レンズ群Ｆの後ろ側主点が十分像側に出すことができないため全系の小型化が困難になる。また上限値を超えると第Ｆ１ａレンズ群Ｆ１ａと、第Ｆ１ｂレンズ群Ｆ１ｂのパワー（屈折力）が強くなり、良好な収差補正が困難となる。
【００４４】
条件式（１６）は、第Ｆ１ａレンズ群Ｆ１ａの焦点距離と第１レンズ群Ｆ１の焦点距離の比を規定している。条件式（１６）の下限値を超えて第Ｆ１ａレンズ群Ｆ１ａのパワーが弱くなると全系の小型化が困難になる。上限値を超えると広角端から焦点距離ｆｗｍのズーム位置にズーミングした時の歪曲やコマ収差など軸外収差の変動の抑制と望遠端において球面収差の補正の両立が困難となる。
【００４５】
条件式（１７）は、第Ｆ１ｂレンズ群Ｆ１ｂの焦点距離と第１レンズ群Ｆ１の焦点距離の比を規定している。条件式（１７）の下限値を超えて第Ｆ１ｂレンズ群Ｆ１ｂのパワーが強くなると広角端から焦点距離ｆｗｍのズーム位置にズーミングした時の歪曲やコマ収差など軸外収差の変動の抑制と望遠端において球面収差の補正の両立が困難となる。また上限値を超えると全系の小型化が難しくなる。
【００４６】
条件式（１８）は、第Ｆ１ａレンズ群Ｆ１ａと第Ｆ１ｂレンズ群Ｆ１ｂの焦点距離の比を規定している。第Ｆ１ａレンズ群Ｆ１ａが第Ｆ１ｂレンズ群Ｆ１ｂに対してパワーが弱くなり、下限値を超えると全系の小型化に不利となる。逆に第Ｆ１ａレンズ群Ｆ１ａが第Ｆ１ｂレンズ群Ｆ１ｂに対してパワーが強くなり、上限値を超えると広角端から焦点距離ｆｗｍのズーム位置にズーミングした時の歪曲やコマ収差など軸外収差の変動の抑制と望遠端において球面収差の補正の両立が困難となる。
【００４７】
条件式（１４）乃至（１８）を同時に満たすと、第Ｆ１ａレンズ群Ｆ１ａと第Ｆ１ｂレンズ群Ｆ１ｂのパワー及び配置を適切に設定することができる。この結果、広角端から焦点距離ｆｗｍのズーム位置にズーミングした時の歪曲やコマ収差など軸外収差の変動の抑制が容易になる。また望遠端において球面収差の良好な補正と全系の小型軽量化が容易になる。更に好ましくは、条件式（１４）乃至（１８）の数値範囲を次の如く設定するのが良い。
【００４８】
０．２５＜ＨＨ／ｆ１＜０．４５      ・・・（１４ａ）
１．０＜Ｄｆ／ＨＨ＜１．６５        ・・・（１５ａ）
−１２．０＜ｆａ／ｆ１＜−７．０    ・・・（１６ａ）
０．８５＜ｆｂ／ｆ１＜１．００      ・・・（１７ａ）
−１３＜ｆａ／ｆｂ  ＜−７          ・・・（１８ａ）
以上各実施例によれば、第１レンズ群Ｆの構成レンズ枚数等を適切に設定することにより、広角端の撮影画界が６３°以上、且つズーム比が９０倍以上の広画角・高ズーム比で全系の小型軽量化を達成するズームレンズが得られる。
【００４９】
［実施例１］
実施例１において第１レンズ群Ｆは、物体側から像側へ順に、負，正，正，正，正レンズの５つのレンズで構成されている。このうち第Ｆ１ａレンズ群Ｆ１ａは、負レンズ，正レンズで構成されている。第Ｆ１ｂレンズ群Ｆ１ｂは、正，正，正レンズで構成されている。更に、第１レンズ群Ｆを構成する負レンズＧ１は、物体側に凸面を向けたメニスカス形状より成っている。正レンズＧ３は両レンズ面が凸面よりなっている。第１レンズ群Ｆの最も像側の正レンズＧ５は物体側に凸面を向けたメニスカス形状より成っている。第１レンズ群Ｆは、後述する表−１に示すように各条件式（１）〜（１８）を満たすよう各要素が設定されている。
【００５０】
各条件式（１）〜（１８）を満たすよう第１レンズ群Ｆを適切に構成することで高い光学性能を有し、広角端の撮影画角が６５．２°、ズーム比が９０倍の広画角・高ズーム比で全系が小型・軽量のズームレンズを達成している。
【００５１】
［実施例２］
実施例２の全体のレンズ構成及び第１レンズ群Ｆの構成は、実施例１と同様である。また各条件式（１）〜（１８）を満たすように各要素が設定されている。各条件式（１）〜（１８）を満たすよう第１レンズ群Ｆを適切に構成することで高い光学性能を有し、広角端の撮影画角が６３．４４°、ズーム比が１２０倍の広角・高倍率、且つ小型・軽量のズームレンズを達成している。
【００５２】
［実施例３］
実施例３の全体のレンズ構成及び第１レンズ群Ｆの構成は、実施例１及び実施例２と同様である。また第１レンズ群Ｆは各条件式（１）〜（１８）を満たすように各要素が設定されている。各条件式（１）〜（１８）を満たすよう第１レンズ群Ｆを適切に構成することで高い光学性能を有し、広角端の撮影画角が６３．４４°、ズーム比が９０倍の広画角・高ズーム比で全系が小型・軽量のズームレンズを達成している。
【００５３】
以上、各実施例によれば広画角化と高ズーム比化を両立しながらレンズ系全体の小型軽量化を達成するズームレンズ及びそれを有する撮像装置が得られる。以上、本発明の好ましい実施形態について説明したが、本発明はこれらの実施形態に限定されず、その要旨の範囲内で種々の変形及び変更が可能である。
【００５４】
図７は各実施例のズームレンズを撮影光学系として用いた撮像装置（テレビカメラシステム）の概略図である。図７において１０１は実施例１乃至３のいずれかのズームレンズである。２０１はカメラである。ズームレンズ１０１はカメラ２０１に対して着脱可能となっている。３０１はカメラ２０１にズームレンズ１０１を装着することで構成される撮像装置である。ズームレンズ１０１は第１レンズ群Ｆ、第２レンズ群Ｖ、第２レンズ群以降のレンズ群ＣＲを有している。第１レンズ群Ｆは合焦用のレンズ群（Ｆ１ｂ）が含まれている。第２レンズ群Ｖは変倍のために光軸上を移動する。
【００５５】
第２レンズ群Ｖ以降のレンズ群ＣＲには、変倍に伴う像面変動を補正するために光軸上を移動する第３レンズ群Ｃや、結像用の第４レンズ群Ｒが含まれている。更に、第４レンズ群ＣＲには、ズームレンズ全系の焦点距離を変位させる、光路中より挿抜可能なレンズユニット（エクステンダー）を含んでもよい。
【００５６】
また、第４レンズ群ＣＲには、光軸に対して垂直方向に変異させて防振を行う防振光学系を含んでも良い。ＳＰは開口絞りである。１０２乃至１０４は各々第１レンズ群Ｆ、第２レンズ群Ｖ、変倍に伴う像面変動を補正する第３レンズ群Ｃを光軸方向に駆動するヘリコイドやカム等の駆動機構である。ここで、１０５乃至１０８は駆動機構１０２乃至１０４および開口絞りＳＰを電動駆動するモータ（駆動手段）である。
【００５７】
１０９乃至１１２は、第１レンズ群Ｆや第２レンズ群Ｖ、変倍に伴う像面変動を補正する第３レンズ群Ｃの光軸上の位置や、開口絞りＳＰの絞り径を検出するためのエンコーダやポテンショメータ、あるいはフォトセンサ等の検出器である。カメラ２０１において、２０２は光学フィルタや色分解光学系に相当するガラスブロック、２０３はズームレンズ１０１によって形成された被写体像を受光するＣＣＤセンサやＣＭＯＳセンサ等の固体撮像素子（光電変換素子）である。また、２０４、１１３はカメラ２０１及びズームレンズ１０１の各種の駆動を制御するＣＰＵである。
【００５８】
このように、本発明のズームレンズをテレビカメラに適用することにより、高い光学性能を有する撮像装置を実現している。ただし、本発明に関するズームレンズおよびカメラの構成は図７の形態に限定されず、その要旨の範囲内で種々の変形及び変更が可能である。この他、本発明のズームレンズはデジタルカメラやビデオカメラ等にも適用することができる。
【００５９】
以下に本発明の数値実施例を示す。各数値実施例においていずれも、ｉは物体側からの面の順序を示す。ｒｉは物体側より第ｉ番目の面の曲率半径、ｄｉは物体側より第ｉ番目と第ｉ＋１番目の間隔、ｎｄｉ、νｄｉは第ｉ番目の光学部材の屈折率とアッベ数である。ＢＦは空気換算のバックフォーカスであり、ガラスブロックＰの最終面からの距離として示している。最後の３つの面は、フィルタ等のガラスブロックである。
【００６０】
非球面形状は光軸方向にＸ軸、光軸と垂直方向にＨ軸、光の進行方向を正とする。Ｒを近軸曲率半径、ｋを円錐常数、Ａ４、Ａ６、Ａ８、Ａ１０、Ａ１２、Ａ１４、Ａ１６、Ａ３、Ａ５、Ａ７、Ａ９、Ａ１１、Ａ１３、Ａ１５をそれぞれ非球面係数としたとき、次式で表している。また、「ｅ−Ｚ」は「×１０−Ｚ」を意味する。
【００６１】
【数１】
0005656684.tif 000002
【００６２】
本実施例の各条件式対応値を表１に示す。
【００６３】
＜数値実施例１＞
単位 mm
面データ
面番号       r        d      nd         νd      有効径
1       1571.411    5.91   1.90366    31.3      212.83
2        361.491    3.13                        205.43
3        389.831   20.85   1.43387    95.1      204.88
4      -1519.134   25.29                        203.52
5        379.388   19.40   1.43387    95.1      198.91
6      -1690.060    0.25                        198.64
7        270.376   20.46   1.43387    95.1      194.91
8       5840.434    1.18                        193.83
9        190.778   14.41   1.59240    68.3      182.16
10        365.545  (可変)                        180.35
11*     11015.733    2.20   2.00330    28.3       48.62
12         41.065   10.49                         41.92
13        -62.377    1.40   1.88300    40.8       41.20
14         65.176    9.88   1.95906    17.5       42.38
15        -89.087    2.72                         43.74
16        -51.909    1.60   1.83400    37.2       43.88
17       -103.320  (可変)                         46.02
18        115.185   11.58   1.59201    67.0       78.48
19*     -2087.691    0.50                         78.91
20        142.758   13.08   1.59201    67.0       80.06
21       -231.655    0.20                         79.67
22        122.793    2.50   1.80518    25.4       76.01
23         57.717   18.11   1.43387    95.1       71.57
24       -564.234    0.50                         70.45
25*       364.246    6.50   1.49700    81.5       69.33
26       -414.835  (可変)                         68.15
27(絞り)    ∞       5.89                         31.81
28       -147.172    1.40   1.81600    46.6       32.30
29         46.924    1.05                         31.20
30         37.303    4.69   1.80809    22.8       31.30
31        420.501    3.37                         30.90
32        -76.047    1.40   1.88300    40.8       30.60
33        191.170   11.30                         30.40
34        -41.223    1.78   1.65160    58.5       26.67
35        580.472    3.52   1.80518    25.4       27.78
36       -156.414    6.46                         28.43
37       -103.332    5.71   1.70154    41.2       30.13
38        -53.979   10.53                         31.42
39       -216.194    4.49   1.50137    56.4       32.25
40        -43.973    0.74                         32.44
41        -72.585    1.30   1.88300    40.8       31.89
42         61.011    9.51   1.50137    56.4       32.28
43        -35.679    0.20                         33.06
44         96.272    8.69   1.49700    81.5       32.15
45        -31.822    1.70   1.88300    40.8       31.45
46       -176.143    2.14                         31.79
47         50.459    8.14   1.48749    70.2       31.95
48        -79.751    5.00                         31.49
49          ∞      33.00   1.60859    46.4       60.00
50          ∞      13.20   1.51633    64.2       60.00
51          ∞                                    60.00
像面        ∞   
【００６４】
非球面データ
第11面
K  =-2.61129e+006 A 4= 1.14924e-006  A 6=-4.20242e-010 A 8= 7.06050e-012
A10= 1.71748e-014 A12=-3.95143e-018  A14=-2.50492e-020 A16= 2.74832e-023
A 3=-7.41007e-007 A 5=-2.86209e-008  A 7= 4.68402e-011 A 9=-6.67517e-013
A11=-2.87644e-016  A13= 1.44174e-018  A15=-1.26241e-021  
第19面
K  =-8.09196e+003 A 4= 2.70610e-007 A 6= 1.07566e-009 A 8=-3.82716e-014
A10=-1.89869e-016 A12= 1.74435e-020 A14=-2.31461e-023 A16= 5.87253e-027
A 3=-1.02923e-007 A 5=-2.58308e-008 A 7=-1.15844e-011 A 9= 3.14187e-015
A11= 2.64931e-018 A13= 8.56747e-022 A15=-2.81713e-025
第25面
K  = 6.92275e+001 A 4=-4.53959e-007 A 6=-6.59771e-011 A 8=-3.55842e-013
A10=-1.48669e-016 A12= 8.98957e-020 A14= 6.50522e-022 A16= 1.24233e-026
A 3= 7.06566e-007 A 5=-1.77804e-008 A 7= 3.13155e-011 A 9= 8.81552e-016
A11=-1.46851e-017 A13= 1.62371e-021 A15=-1.37737e-023
各種データ
ズーム比    90.00 
広角     中間     望遠
焦点距離       8.60   341.63   774.00  
Fナンバー      1.80     1.80     4.00  
画角          32.60     0.92     0.41  
像高           5.50     5.50     5.50  
レンズ全長   641.10   641.10   641.10  
BF           18.00    18.00    18.00  
d10           3.03   178.18   186.75  
d17         279.71    41.92     3.07  
d26           3.00    65.65    95.93  
入射瞳位置   126.14  3180.72  9423.17  
射出瞳位置   141.46   141.46   141.46  
前側主点位置 135.34  4467.70 15049.59  
後側主点位置   9.40  -323.63  -756.00  
ズームレンズ群データ
群  始面    焦点距離  レンズ構成長  前側主点位置  後側主点位置
1    1     248.14       110.88        64.60        -17.20
2   11     -27.25        28.28         3.76        -16.43
3   18      70.50        52.98        12.00        -25.30
4   27      40.01       145.21        58.78         16.17
単レンズデータ
レンズ  始面  焦点距離
1       1   -516.86
2       3    715.59
3       5    714.36
4       7    651.06
5       9    651.23
6      11    -40.75
7      13    -35.70
8      14     39.99
9      16   -126.08
10      18    184.10
11      20    150.63
12      22   -136.36
13      23    121.45
14      25    390.18
15      28    -43.24
16      30     49.86
17      32    -61.11
18      34    -58.76
19      35    151.95
20      37    152.86
21      39    108.69
22      41    -37.15
23      42     46.24
24      44     49.09
25      45    -43.97
26      47     64.51
27      49      0.00
28      50      0.00
【００６５】
＜数値実施例２＞
単位 mm
面データ
面番号       r        d      nd        νd       有効径
1       5087.363    6.21   1.83400    37.2      210.30
2        351.007    2.53                        203.25
3        362.932   25.89   1.43387    95.1      203.13
4       -675.565   27.27                        202.31
5        358.936   19.85   1.43387    95.1      199.79
6      -2017.904    0.26                        199.41
7        248.568   21.36   1.43387    95.1      194.63
8       3022.229    1.24                        193.41
9        198.459   12.41   1.49700    81.5      181.43
10        339.878  (可変)                        179.63
11*     27171.632    2.06   2.00330    28.3       44.33
12         40.455    9.41                         38.76
13        -57.455    1.31   1.83481    42.7       38.10
14         58.761    8.84   1.95906    17.5       41.33
15        -84.153    2.00                         42.20
16        -56.592    1.50   1.85026    32.3       42.33
17       -191.622  (可変)                         44.41
18        130.302   14.03   1.59201    67.0       87.80
19*      -266.886    0.20                         88.28
20        104.921   14.79   1.60311    60.6       89.75
21       -461.141    0.20                         89.04
22        145.682    2.38   1.80518    25.4       83.97
23         56.875   21.27   1.43875    94.9       77.22
24       -415.562    0.20                         75.80
25*       334.859    5.07   1.60311    60.6       73.92
26       -791.564  (可変)                         72.88
27(絞り)    ∞       6.01                         33.65
28       -151.903    1.40   1.81600    46.6       32.30
29         38.918    0.48                         31.20
30         32.486    4.77   1.80809    22.8       31.30
31        164.904    3.63                         30.90
32        -85.587    1.40   1.88300    40.8       30.60
33        162.386   11.41                         30.40
34        -46.174    1.71   1.65160    58.5       26.66
35       1173.752    3.08   1.80518    25.4       27.46
36       -398.076    5.65                         27.99
37       -916.080    7.93   1.70154    41.2       29.68
38        -63.371    9.95                         30.82
39        -87.899    3.77   1.50137    56.4       30.42
40        -39.673    0.70                         30.61
41        -66.997    1.69   1.88300    40.8       30.00
42         58.343    9.03   1.50137    56.4       30.36
43        -40.472    1.95                         31.23
44        200.255    8.72   1.49700    81.5       30.78
45        -30.785    1.42   1.88300    40.8       30.34
46        -76.296    0.30                         31.18
47         51.386    6.67   1.48749    70.2       31.67
48        -89.589    5.00                         31.29
49          ∞      33.00   1.60859    46.4       60.00
50          ∞      13.20   1.51633    64.2       60.00
51          ∞                                    60.00
像面        ∞   
【００６６】
非球面データ
第11面
K  =-2.96575e+006 A 4= 2.40886e-007 A 6=-5.19472e-009 A 8= 1.20546e-011
A10= 1.46289e-014 A12= 7.72681e-018 A14=-2.72378e-019 A16= 9.42238e-023
A 3= 8.19956e-007 A 5= 5.83280e-008 A 7= 1.05651e-010 A 9=-6.19279e-013
A11=-1.86517e-015 A13= 8.45388e-018 A15=-1.53991e-021
第19面
K  = 1.88006e+001 A 4= 3.14591e-007 A 6= 3.18488e-011 A 8= 1.95553e-013
A10=-8.85951e-017 A12= 1.28602e-019 A14= 1.26173e-023 A16=-4.42209e-027
A 3= 2.20105e-008 A 5= 2.18044e-009 A 7=-4.76795e-012 A 9=-1.44709e-015
A11= 4.99541e-019 A13=-3.52602e-021 A15= 5.11761e-025
第25面
K  = 6.21525e+001 A 4=-4.51427e-007 A 6=-4.21936e-010 A 8=-4.54373e-014
A10=-1.38519e-016 A12= 5.59824e-021 A14= 1.50130e-022 A16= 2.59244e-026
A 3=-4.12537e-007 A 5= 9.02787e-010 A 7= 1.31804e-011 A 9=-2.79933e-016
A11=-1.81042e-018 A13= 1.42334e-021 A15=-4.68969e-024
各種データ
ズーム比    120.00 
広角     中間     望遠
焦点距離        8.90   343.29   1068.00  
Fナンバー       1.80     1.80      5.50  
画角           31.72     0.92      0.30  
像高            5.50     5.50      5.50  
レンズ全長     658.22   658.22    658.22  
BF             16.80    16.80     16.80  
d10             3.04   189.34    201.28  
d17           292.26    52.03      1.70  
d26             3.00    56.93     95.31  
入射瞳位置     128.80  3079.01  13737.39  
射出瞳位置     147.15   147.15    147.15  
前側主点位置   138.31  4326.38  23556.01  
後側主点位置     7.90  -326.48  -1051.20  
ズームレンズ群データ
群  始面    焦点距離  レンズ構成長  前側主点位置  後側主点位置
1    1     260.58       117.01        68.63        -17.96
2   11     -25.50        25.12         4.00        -13.51
3   18      67.00        58.13        12.79        -27.87
4   27      39.49       142.86        58.08         23.77
単レンズデータ
レンズ  始面  焦点距離
1       1   -449.46
2       3    546.93
3       5    702.37
4       7    621.24
5       9    929.74
6      11    -40.05
7      13    -34.43
8      14     36.72
9      16    -94.25
10      18    149.34
11      20    142.57
12      22   -116.21
13      23    115.32
14      25    389.30
15      28    -37.65
16      30     48.76
17      32    -62.94
18      34    -67.87
19      35    366.12
20      37     96.12
21      39    139.95
22      41    -34.89
23      42     48.96
24      44     54.21
25      45    -58.97
26      47     67.81
27      49      0.00
28      50      0.00
【００６７】
＜数値実施例３＞
単位 mm
面データ
面番号       r        d      nd        νd       有効径
1       3682.437    6.00   1.80100    35.0      209.40
2        353.944    3.79                        201.72
3        374.260   22.74   1.43387    95.1      201.01
4       -959.873   25.71                        199.87
5        389.724   19.81   1.43387    95.1      196.38
6      -1195.622    0.25                        196.08
7        253.678   20.51   1.43387    95.1      191.33
8       3472.541    1.20                        190.14
9        183.245   13.48   1.49700    81.5      177.83
10        326.627  (可変)                        176.00
11*     10080.140    2.22   2.00330    28.3       47.00
12         39.688   10.59                         40.66
13        -55.354    1.41   1.77250    49.6       40.04
14         68.240    8.91   1.95906    17.5       43.34
15       -124.975    3.48                         44.59
16        -53.580    1.61   1.88300    40.8       44.81
17        -81.416  (可変)                         46.74
18        118.917   10.96   1.59201    67.0       80.82
19*     -1857.932    0.50                         81.21
20        140.371   12.59   1.59201    67.0       82.57
21       -231.138    0.20                         82.29
22        116.015    2.48   1.80518    25.4       78.13
23         56.051   19.40   1.43387    95.1       73.18
24       -481.868    0.50                         72.03
25*       354.467    5.65   1.49700    81.5       70.66
26       -520.367  (可変)                         69.61
27(絞り)    ∞       5.92                         32.66
28       -147.410    1.40   1.81600    46.6       32.30
29         47.772    1.16                         31.20
30         38.288    4.59   1.80809    22.8       31.30
31        460.736    3.35                         30.90
32        -75.747    1.40   1.88300    40.8       30.60
33        196.125   11.28                         30.40
34        -42.990    1.71   1.65160    58.5       27.35
35        444.480    3.72   1.80518    25.4       28.43
36       -162.698    6.28                         29.08
37       -102.693    5.29   1.70154    41.2       30.66
38        -53.709   11.00                         31.81
39       -181.826    4.43   1.50137    56.4       32.48
40        -43.749    0.61                         32.68
41        -76.276    1.43   1.88300    40.8       32.12
42         63.409    9.45   1.50137    56.4       32.45
43        -36.374    0.20                         33.18
44        101.048    8.92   1.49700    81.5       32.15
45        -31.027    2.94   1.88300    40.8       31.37
46       -177.800    1.43                         31.80
47         52.228    7.15   1.48749    70.2       32.14
48        -76.349    5.00                         31.82
49          ∞      33.00   1.60859    46.4       60.00
50          ∞      13.20   1.51633    64.2       60.00
51          ∞                                    60.00
像面        ∞   
【００６８】
非球面データ
第11面
K  =-2.61129e+006 A 4= 9.37757e-007 A 6=-4.65459e-010 A 8= 6.89688e-012
A10= 1.60690e-014 A12=-4.45369e-018 A14=-1.84721e-020 A16= 2.51882e-023
A 3=-2.18190e-007 A 5=-2.65845e-008 A 7= 4.37144e-011 A 9=-6.18552e-013
A11=-2.52689e-016 A13= 1.20039e-018 A15=-1.17896e-021
第19面
K  =-8.09196e+003 A 4= 2.65482e-007 A 6= 1.10690e-009 A 8=-3.67018e-014
A10=-2.04989e-016 A12= 1.70275e-020 A14=-2.57323e-023 A16= 6.69050e-027
A 3=-6.04194e-007 A 5=-2.61205e-008 A 7=-1.25725e-011 A 9= 3.50991e-015
A11= 3.11710e-018 A13= 8.21780e-022 A15=-2.93153e-025
第25面
K  = 8.21911e+001 A 4=-4.01900e-007 A 6=-1.56607e-010 A 8=-3.54010e-013
A10=-1.32830e-016 A12= 9.59663e-020 A14= 6.88034e-022 A16= 1.65592e-026
A 3=-3.28244e-007 A 5=-1.90100e-008 A 7= 3.15682e-011 A 9= 1.63011e-015
A11=-1.54841e-017 A13= 1.09410e-021 A15=-1.51547e-023  
各種データ
ズーム比     90.00 
広角     中間     望遠
焦点距離        8.90   343.29   801.00  
Fナンバー       1.80    1.80     4.20  
画角           31.72    0.92     0.39  
像高            5.50    5.50     5.50  
レンズ全長    643.92   643.92   643.92  
BF            18.45    18.45    18.45  
d10            3.16   180.44   189.58  
d17          280.43    42.17     2.12  
d26            3.00    63.98    94.88  
入射瞳位置    128.90   3099.50 9451.79  
射出瞳位置    155.78    155.78  155.78  
前側主点位置  138.37   4300.92 14924.87  
後側主点位置    9.55   -324.84  -782.55  
ズームレンズ群データ
群  始面    焦点距離  レンズ構成長  前側主点位置  後側主点位置
1    1     251.92       113.51        66.47        -17.82
2   11     -27.50        28.23         3.52        -17.18
3   18      70.00        52.28        11.70        -25.12
4   27      41.63       144.86        59.68         18.15
単レンズデータ
レンズ  始面  焦点距離
1       1   -485.97
2       3    622.28
3       5    678.31
4       7    627.97
5       9    812.06
6      11    -39.39
7      13    -39.18
8      14     46.47
9      16   -181.41
10      18    188.51
11      20    148.88
12      22   -135.97
13      23    116.71
14      25    423.90
15      28    -43.85
16      30     50.90
17      32    -61.38
18      34    -59.83
19      35    146.97
20      37    152.75
21      39    113.21
22      41    -38.80
23      42     47.41
24      44     48.72
25      45    -42.72
26      47     64.58
27      49      0.00
28      50      0.00
【００６９】
【表１】
0005656684.tif 000003
【符号の説明】
【００７０】
Ｆ  第１レンズ群      Ｆ１ａ  合焦時に固定の第Ｆ１ａレンズ群
Ｆ１ｂ  合焦時に移動の第Ｆ１ｂレンズ群      Ｖ  第２レンズ群
Ｃ  第３レンズ群      Ｒ  第４レンズ群      ＳＰ  絞り
Ｐ  色分解光学系や光学フィルタを示すガラスブロック
Ｉ  撮像面      １０１  ズームレンズ      ＣＲ  第２群以降のレンズ群
１０２〜１０４    駆動機構      １０５〜１０８    駆動手段
１０９〜１１２    検出器      ２０１  カメラ
２０２    色分解光学系や光学フィルタを示すガラスブロック
２０３    固体撮像素子（光電変換素子）      ２０４、１１３    ＣＰＵ
３０１    撮像装置      Ｏ１２    第２群の物体側主点位置
【図２】
0005656684.tif 000004
【図３】
0005656684.tif 000005
【図４】
0005656684.tif 000006
【図６】
0005656684.tif 000007
【図１】
0005656684.tif 000008
【図５】
0005656684.tif 000009
【図７】
0005656684.tif 000010